(57)【要約】【課題】使用者によっては、芯を繰り出す為の押圧力が高く感じられてしまったり、又、指などに痛さを感じてしまう場合があった。そこで、前記コイルスプリングの弾撥力を低くすることも考えられたが、やはり、芯の後退（没入）と言った問題が発生してしまい、実用には至らなかった。【解決手段】芯の把持・開放を行うチャック体に軸筒に対して揺動する傾斜板を配置すると共に、その傾斜板の揺動によって芯の繰り出し動作をなし、前記傾斜板をノック部材によって揺動させたシャープペンシル。【選択図】  図１
2004330421.tif 000002
【特許請求の範囲】
【請求項１】
芯の把持・開放を行うチャック体に軸筒に対して揺動する傾斜板を配置すると共に、その傾斜板の揺動によって芯の繰り出し動作をなし、前記傾斜板をノック部材によって揺動させたことを特徴とするシャープペンシル。
【請求項２】
前記ノック部材を軸筒の把持する部分に配置したことを特徴とする請求項１記載のシャープペンシル。
【請求項３】
前記チャック体を芯の後退動作を楔作用によって阻止するボールチャック機構とすると共に、前記軸筒の先端に芯保護管を摺動自在に配置したことを特徴とする請求項１或いは、請求項２に記載のシャープペンシル。
【発明の詳細な説明】
【０００１】
【発明の属する技術分野】
本発明は、シャープペンシルに関する。
【０００２】
【従来の技術】
１例として、コイルスプリングなどの弾撥部材によって後方に付勢されたチャック体を、軸筒の後方に位置するノックキャップを押圧することによって前進・拡開せしめ、芯の繰り出しを行うシャープペンシルがある（特許文献１参照）。
【０００３】
【特許文献１】
特開平１０−１６４６８号（図１、並びに、図２）。
【０００４】
【発明が解決しようとする課題】
前記チャック体を前進させる為のノックキャップに付与する押圧力は、コイルスプリングを圧縮させる弾撥力となっている。又、その弾撥力は、筆記の際の芯の後退（没入）を阻止する為に、比較的大きな弾撥力となっている。よって、使用者によっては、芯を繰り出す為の押圧力が高く感じられてしまったり、又、指などに痛さを感じてしまう場合があった。そこで、前記コイルスプリングの弾撥力を低くすることも考えられたが、やはり、芯の後退（没入）と言った問題が発生してしまい、実用には至らなかった。
【０００５】
【課題を解決するための手段】
本発明は、芯の把持・開放を行うチャック体に軸筒に対して揺動する傾斜板を配置すると共に、その傾斜板の揺動によって芯の繰り出し動作をなし、前記傾斜板をノック部材によって揺動させたことを要旨とする。
【０００６】
【作用】
傾斜板下部の軸筒との接触部が支点となり、又、傾斜板中間部のチャック体との接触部が作用点となり、又、傾斜板上部とノック部材の連結部分が力点となり、チャック体が弾撥部材の弾撥力に抗して前進する。つまり、梃子の原理を利用しての芯の繰り出し操作となる。
【０００７】
【実施例】
第１例を図１〜図４に示し説明する。軸筒１の後部は、複数の芯が収納可能な芯タンク部２となっており、その芯タンク部２の前方には、継ぎ手３を介して芯の把持・開放を行うコレット（２つ割、或いは、３つ割など）式のチャック体４が配置されている。そのチャック体４の後部には、前記芯タンク部２から芯を１本ごと分離し、その芯をチャック体４に導く芯受け部５が固定されている。又、チャック体４の前方には、そのチャック体４の拡開・閉鎖を行うチャックリング６が囲繞している。符号７は、前記チャック体４や継ぎ手３を後方に向け付勢すると共に、チャック体４を閉鎖せしめ芯を保持させるコイルスプリングなどの弾撥部材であり、一般的に、その荷重は、４００ｇ〜６００ｇに設定されている。本例においては、５００ｇの弾撥部材を使用した。又、符号８は、前記軸筒１の先端に着脱自在に固定された先部材であって、その先部材８の内部には、芯を軽く保持するゴム状弾性体からなる芯戻り止め部材９が圧入されている。
【０００８】
一方、前記軸筒１の把持する部分には、ゴム状弾性体からなるグリップ部材１０が固定されているが、その１部分には切り欠き部１１が形成されている。そしてその切り欠き部１１には、ノック部材１２が前後動可能に配置されているが、そのノック部材１２の後部内面には溝部１３が形成されている。
又、前記継ぎ手３の後方には、傾斜板１４が貫通した状態（貫通孔１５）で囲繞しており、その傾斜板１４の１部は継ぎ手３の鍔部３ａと軸筒１の鍔部１ａとで挟み込まれている。この挟み込まれている部分が、傾斜板１４が揺動する作用点（或いは、支点１６）となり、又、その作用点１６の反対側の鍔３ａとの当接部が、傾斜板１４の継ぎ手３に対する支点（或いは、作用点１７）となる。更に、前記作用点１６の反対側に当たる傾斜板１４の部分は、前記軸筒に形成され長孔１８を貫通して、前記ノック部材１２の溝１３に係合している。この係合部が傾斜板１４の継ぎ手３に対する力点１９となる。
【０００９】
次ぎに、動作について説明する。ノック部材１２を後方に移動させると、力点１９によって、又、支点１７を中心に傾斜板１４が揺動する。この傾斜板１４の揺動に伴って、作用点１６により前記継ぎ手３が弾撥部材７に抗して前進すると共に、チャック体４が前進し芯が繰り出される。ここで、ノック部材１２の後方への移動を解除すると、弾撥部材７の弾性復元力によって継ぎ手３やチャック体４、並びに、傾斜板１４、ノック部材１２が復帰する。
尚、本例においては、ノック部材１２を前方に移動させても芯の繰り出し操作を行うことができる。以下、詳述する。ノック部材１２を前方に移動させると、力点１９によって、又、支点１６を中心に傾斜板１４が揺動する。この傾斜板１４の揺動に伴って、作用点１７により前記継ぎ手３が弾撥部材７に抗して前進すると共に、チャック体４が前進し芯が繰り出される。ここで、ノック部材１２の前方への移動を解除すると、弾撥部材７の弾性復元力によって継ぎ手３やチャック体４、並びに、傾斜板１４、ノック部材１２が復帰する。ちなみに、この時の芯繰り出し操作におけるノック部材の操作荷重は、２００ｇ〜３００ｇであった。
【００１０】
第２例を図５に示し説明する。前記第１例と同様に継ぎ手３の後方には、傾斜板２０が囲繞しているが、その傾斜板２０には、後方に向けて押し棒２１が係合している。そして、その押し棒２１は、軸筒１の後端に配置されたノック部２２に連結している。即ち、そのノック部２２を下方に向けて押圧すると、ノック棒２１が下降し、そのノック棒２１の下降動作に伴って前記傾斜板２０が揺動するのである。そして、傾斜板２０が揺動すると、前記第１例と同様に継ぎ手３やチャック体４が前進し芯が繰り出されるのである。
第３例を図６に示し説明する。前記第１例に類似した構造となっているが、ノック部が先部材８の近傍に配置されている。以下、具体的に説明する。継ぎ手３の後方には、傾斜板２３が囲繞しており、その傾斜板２３には前方に向けて押し棒２４が係合している。そして、その押し棒２４の前方には、ノック部２５が形成されている。前記押し棒２４は、グリップ部材１０と軸筒１との間に挟まれた状態で位置しているが、ノック部２５は先部材８の近傍で露出した状態となっている。ノック部２５を指先などで後方に移動させると、押し棒２４によって傾斜板２３が揺動し、これによって芯が繰り出される。
【００１１】
第４例を図７に示し説明する。軸筒１の側面には、その軸筒１の径方向に対して垂直な方向に移動可能なノック部材２６が取り付けられている。そのノック部材２６の内側には、軸筒１の内径方向に向かって順次拡大する傾斜溝２７が形成されている。そして、その傾斜溝２７には、前例と同様な傾斜板２３が係合しており、前記ノック部材２６を軸筒１の方向に押圧することによって傾斜板２７が揺動するようになっている。その傾斜板２３の揺動作用によって、前例と同様に芯の繰り出しが行われる。
尚、この垂直に移動が可能なノック部材に変え、リング状部材を軸筒１に挿着し、そのリング状部材の内面にカム面を形成し、そのカム面を前記傾斜板２７に係合せしめても良い。リング状部材を軸筒１に対して回転させることによって、前記傾斜板が揺動し、その揺動によって芯が繰り出される。
【００１２】
第５例を図８〜図１１に示し説明する。軸筒１の前方内部には、楔作用によって芯の後退を阻止するボールチャック機構２８と称される芯繰り出し機構が配置され、弾撥部材２９によって後方に向けて付勢されている。ボールチャック機構２８は、チャック筒３０と、そのチャック筒３０内にボール３１を介して配置された開閉可能なチャック体３２、並びに、そのチャック体３２を後方に向けて付勢する弾撥部材などから構成されている。常時は、弾撥部材３３によってチャック体３２が閉鎖しており芯を把持している。しかし、芯が前方に引っ張られるとボールチャック機構２８の楔作用が解除され芯が前進する。又、先部材８の前端には芯を軽く保持するスライド部材３４が配置されているが、弾撥部材３５によって前方に付勢されている。
ノック部材３６は、前記第３例と同様に、先部材８の近傍に配置されており、ノック部材３６を後方に移動させることによって傾斜板３７が揺動するようになっている。符号Ｓは、芯受け部材５や継ぎ手３８を後方に付勢する弾撥部材である。
【００１３】
次ぎに動作について説明する。芯の使用に伴い、芯が摩耗すると、前記スライド部材３４が筆記面に押されて後退する。つまり、弾撥部材３５に抗して先部材８内に没入する。ここで、先部材８を紙面から離隔させると、スライド部材３４は弾撥部材３５の復元力によって先部材８から再び突出する。この時、芯はスライド部材に軽く保持されているので、チャック体３２の把持部分を滑るようにして引きく抜かれ芯の繰り出し操作が行われる。
しかし、芯がチャック体３２から外れてしまうと、追従する芯はチャック体３２内に入り込むことができず筆記が不可能となってしまう。ここで、前記ノック部材３６を後方に向けて移動させるのである。このノック部材３６の移動に伴って前記傾斜板３７が揺動し、継ぎ手３８が前進する（図９参照）。この前進に伴ってチャック体３２の後端部が押圧され前進することになり、その結果、チャック体３２が開放することとなる。この時、追従する芯が開放したチャック体３２、並びに、スライド部材３４内へと導かれるのである。次いで、スライド部材３４、或いは、ノック部材３６を前後動させれば、芯が引き出され再び筆記が可能となる。
【００１４】
第６例を図１２、図１３に示し説明する。前記第５例のノック部材３９に位置する軸筒１を大径にすると共に、その大径部４０内にノック部材３９を位置させた例である。ノック部材３９を軸筒１内に配置することによって、芯の視認性が向上し筆記が良好なものとなる。
【００１５】
【発明の効果】
本発明は芯の把持・開放を行うチャック体に軸筒に対して揺動する傾斜板を配置すると共に、その傾斜板の揺動によって芯の繰り出し動作をなし、前記傾斜板をノック部材によって揺動させたので、シャープペンシルの機能を損なわずして、軽い押圧操作力で芯の繰り出し操作を行うことができる。
【図面の簡単な説明】
【図１】第１例を示す縦断面図。
【図２】傾斜板を示す外観正面図。
【図３】動作を示す要部縦断面図。
【図４】動作を示す要部縦断面図。
【図５】第２例を示す縦断面図。
【図６】第３例を示す要部縦断面図。
【図７】第４例を示す要部縦断面図。
【図８】第５例を示す要部縦断面図。
【図９】図８の正面図。
【図１０】動作を示す要部縦断面図。
【図１１】動作を示す縦断面図。
【図１２】第６例を示す要部縦断面図。
【図１３】図１２の正面図。
【符号の説明】
１      軸筒
２      芯タンク部
３      継ぎ手
４      チャック体
５      芯受け部
６      チャックリング
７      弾撥部材
８      先部材
９      芯戻り止め部材
１０      グリップ部材
１１      切り欠き部
１２      ノック部材
１３      溝部
１４      傾斜板
１５      貫通孔
１６      作用点（支点）
１７      支点（作用点）
１８      長孔
１９      力点
２０      傾斜板
２１      ノック棒
２２      ノック部
２３      傾斜板
２４      押し棒
２５      ノック部
２６      ノック部材
２７      傾斜溝
２８      ボールチャック機構
２９      弾撥部材
３０      チャック筒
３１      ボール
３２      チャック体
３３      弾撥部材
３４      スライド部材
３５      弾撥部材
３６      ノック部材
３７      傾斜板
３８      継ぎ手
３９      ノック部材
４０      大径部
【図１】
2004330421.tif 000003
【図２】
2004330421.tif 000004
【図３】
2004330421.tif 000005
【図４】
2004330421.tif 000006
【図５】
2004330421.tif 000007
【図６】
2004330421.tif 000008
【図７】
2004330421.tif 000009
【図８】
2004330421.tif 000010
【図９】
2004330421.tif 000011
【図１０】
2004330421.tif 000012
【図１１】
2004330421.tif 000013
【図１２】
2004330421.tif 000014
【図１３】
2004330421.tif 000015